(57)【要約】【課題】  カラオケ装置に備えられる最新の楽曲データをそのカラオケ装置から手元操作装置に取込んで表示させ、歌本がなくても歌いたい曲名などの楽曲データを前記表示の中から選択し、前記データを供給したカラオケ装置に選択した曲名などの指令を出すことができるようにしたカラオケ装置における楽曲データの検索表示装置を提供すること。【解決手段】  タッチパネル式の入力手段を有する平板状の表示画面２と、カラオケ装置Ksが備えている楽曲データを受信する受信部３と、該受信部３に入力するデータを取汲んで前記表示画面２に表示させるコントロール部５と、前記受信部３を制御すると共に前記表示画面２上で選択する楽曲データを前記カラオケ装置Ksに指令信号として発信する発信部４を備えてなり、カラオケ装置Ksが備えている楽曲データを前記表示画面２に表示させ、その中から選択したデータについて当該カラオケ装置Ksに指令信号を出力しこのカラオケ装置Ksを駆動操作するようにしたこと【選択図】図１
0003104956.tif 000002
【実用新案登録請求の範囲】
【請求項１】
タッチパネル式の入力手段を有する平板状の表示画面と、カラオケ装置が備えている楽曲データを受信する受信部と、該受信部に入力するデータを取汲んで前記表示画面に表示させるコントロール部と、前記受信部を制御すると共に前記表示画面上で選択する楽曲データを前記カラオケ装置に指令信号として発信する発信部を備えてなり、カラオケ装置が備えている楽曲データを前記表示画面に表示させ、その中から選択したデータについて当該カラオケ装置に指令信号を出力しこのカラオケ装置を駆動操作するようにしたことを特徴とするカラオケ装置における楽曲データの手元検索表示装置。
【請求項２】
カラオケ装置と検索表示装置は、共通する固有のコードデータで関連付けて他のカラオケ装置との混信を防止した請求項１のカラオケ装置における楽曲データの手元検索表示装置。
【請求項３】
共通する固有のコードデータによる関連付けは、固定してしまうか、又は、使用の度にセット，リセットすることが選択できるようにした請求項２のカラオケ装置における楽曲データの手元検索表示装置。
【考案の詳細な説明】
【技術分野】
【０００１】
本考案は本人から離れて設置されたカラオケ装置を本人の手元で操作できることは勿論、楽曲や歌手などの楽曲データを手元に表示させて検索することができるようにした手元検索表示装置に関する。
【背景技術】
【０００２】
従来、カラオケ装置の手元で操作する装置としては、テレビのいわゆるリモコン（リモートコントロール）手段と同様で、赤外線を利用した一方向指令（通信）タイプのものであった。
【０００３】
このため、歌いたい曲名や歌手名、或は、曲のジャンルなどについては、電話帳スタイルで紙に印刷されて製本されたいわゆる「歌本」と呼ばれる楽曲データが掲載された本のページをめくって曲名や歌手名などを捜し、各曲名や歌手名などに対応して設定され印刷されている文字や記号などを、リモコン状操作ボックスの操作ボタンなどを押してカラオケ装置に発信（指令）する方式である。
【０００４】
即ち、従来の手元操作スタイルでは、歌本がなければ所望の曲名や歌手名をカラオケ装置に指示することは不可能であった。しかし、常時、歌本を不可欠とするカラオケ装置に対する曲名等の指令システムは、この面で使い勝手が良好といえない面があった。
【０００５】
この不便な点を解消するため、歌本の内容を手元操作装置に記憶させておき、その操作装置の表示画面にその記憶内容を表示させその表示の中から曲名や歌手名を検索してカラオケ装置に指令を出す方式も考えられるが、カラオケ装置に供給される楽曲は日々に、或は、定期的など適宜インターバルで更新されるため、手元操作装置の内部に楽曲データを記憶させる方式では、楽曲データが更新される度に、そのデータを更新しないと、カラオケ装置が備える楽曲データとの不一致が生じ使い勝手の面で不都合が生じる。
【０００６】
また、手元操作装置の内部に楽曲データを格納できるようにすると、そのための記憶装置やその書込み（入力）手段などが不可欠となるので、手元操作装置自体が大がかりとなって、徒らに高コストのものになり易いという難点もある。
【考案の開示】
【考案が解決しようとする課題】
【０００７】
そこで、本考案では、カラオケ装置に備えられる最新の楽曲データをそのカラオケ装置から手元操作装置に取込んで表示させ、歌本がなくても歌いたい曲名などの楽曲データを前記表示の中から選択し、前記データを供給したカラオケ装置に選択した曲名などの指令を出すことができるようにしたカラオケ装置における楽曲データの検索表示装置を提供することを、その課題とする。
【課題を解決するための手段】
【０００８】
上記課題を解決することを目的としてなされた本考案検索表示装置の構成は、タッチパネル式の入力手段を有する平板状の表示画面と、カラオケ装置が備えている楽曲データを受信する受信部と、該受信部に入力するデータを取汲んで前記表示画面に表示させるコントロール部と、前記受信部を制御すると共に前記表示画面上で選択する楽曲データを前記カラオケ装置に指令信号として発信する発信部を備えてなり、カラオケ装置が備えている楽曲データを前記表示画面に表示させ、その中から選択したデータについて当該カラオケ装置に指令信号を出力しこのカラオケ装置を駆動操作するようにしたことを特徴とするものである。
【０００９】
本考案検索表示装置とカラオケ装置は、特定コードによって固有の連繋関係を持たせることにより、固有の連繋関係にない他のカラオケ装置や検索表示装置との間で混信や誤作動がないようにしている。また、共通する固有のコードデータによる関連付けは、固定してしまうか、又は、使用の度にセット，リセットすることが選択できるようにしている。
【考案の効果】
【００１０】
本考案検索表示装置は、タッチパネル式の入力手段を有する平板状の表示画面と、カラオケ装置が備えている楽曲データを受信する受信部と、該受信部に入力するデータを取汲んで前記表示画面に表示させるコントロール部と、前記受信部を制御すると共に前記表示画面上で選択する楽曲データを前記カラオケ装置に指令信号として発信する発信部を備えて検索表示装置を形成したので、カラオケ装置が備えている楽曲データを表示画面に表示させ、その中から選択した楽曲データについて当該カラオケ装置に指令信号を出力させることにより、このカラオケ装置の遠隔操作をすることができると共に、歌本がなくても、及び、それ自体に楽曲データのメモリなどの記憶装置がなくてもカラオケ装置が備えている楽曲データを表示して歌いたい曲名や歌手名などを選択してそのカラオケ装置を駆動させることができる。
【考案を実施するための最良の形態】
【００１１】
次に本考案検索表示装置（以下、本考案装置と略す）の実施形態の一例について図を参照して説明する。図１は本考案装置の一例の構成を説明するためのブロック図、図２は図１の検索表示装置の表示画面におけるトップ画面の表示例を模式的に示した平面図、図３は図２の表示画面におけるインデックス検索画面の一例を模式的に示した平面図である。
【００１２】
図１において、１は本考案検索表示装置で、一例として200×100×30mm程度の筐体（図示せず）の上面に、タッチパネル式の入力手段を具備した液晶表示画面２を設け、筐体の内部に受信部３、発信部４，電源（図示せず）などを収装して備え、前記受信部３と発信部４が、表示画面２の駆動部を含むコントロール部５を介して表示画面２に接続され、これらにより本考案検索表示装置１の基本構成をなしている。なお、６はペアリング呼出部で、この呼出部６からの出力信号により後述するカラオケ装置Ksから本考案装置１に当該カラオケ装置Ksと共通の固有コードが供給されてこのカラオケ装置Ksと本考案装置１の固有の結合関係が結ばれ、他のカラオケ装置と本考案装置１との混信などが生じないようにしている。
【００１３】
図１において、Ksは、一例として通信カラオケシステムにおけるカラオケ装置で、カラオケ装置内の楽曲データは定期的乃至オンデマンド方式など適宜インターバルでホスト局（コンピュータなど）から無線により供給されて逐次更新されるようになっている。このカラオケ装置Ksには、図示しないが、少なくともスピーカと、楽曲の歌詞や背景などを表示するためのＣＲＴや液晶などによる表示画面が付属している。
【００１４】
本考案装置１とカラオケ装置Ksは、ペアリング呼出部６からの発信をカラオケ装置Ksの受光部９が受けて、当該カラオケ装置Ksの発信部７からこの装置Ksと共通した固有コードが本考案装置１の受信部３に入力し、本考案装置１とカラオケ装置Ksとが共通した固有コードにより特定の関係に結び付けられ（ペアリング）、このペアリングの関係を持たない他の検索表示装置やカラオケ装置との間で混信などが生じないように形成されている。前記スペアリングは、本考案装置とカラオケ装置の間で固定してしまうか、又は、本考案装置を使用する度にセット，リセットできるようにするかを選択することができるように形成されている。
【００１５】
本考案装置１とカラオケ装置Ksとの間でペアリングが成立すると、本考案装置１の表示画面２には、図２に示すトップ画面20が現れる。この画面表示はコントロール部５によりなされる。
【００１６】
表示画面２に現れるトップ画面20は、一例として、インデックス検索20a，キーワード検索20b，INDEX  WORLD  SOUNDS検索20c，リモコン20d，お楽しみ20e，HELP20fなどのボタン表示のほか、この画面20の下半部に、複数個の操作ボタン表示20gが表示され形成されている。
【００１７】
上記のトップ画面20において、楽曲の曲名や歌手名を検索したい場合、「インデックス検索」20aのボタンをタッチすると、表示画面２はトップ画面20から図３に示すインデックス検索画面30に切換わる。この検索画面30の表示内容は、上記のトップ画面20において「インデックス検索」20aのボタンをタッチすると、その旨の信号が本考案装置１の発信部４から発信されてカラオケ装置Ksの受信部８に受信され、このカラオケ装置Ksの内部記憶装置などに備えられているインデックス検索画面30の表示データが、このカラオケ装置Ksの発信部７から本考案装置１の受信部３に供給され、この受信部３で受けた前記データがコントロール部５を経て表示画面２に表示されることによって、図３のインデックス検索画面30の表示がなされる。
【００１８】
従って、インデックス検索画面30は、カラオケ装置Ksが内蔵しているデータの一部がその画面30として表示されるので、一例として50音順で形成されてこの画面30の左右側に表示された牽引30a，30bの適宜の音をタッチすると、その索引音のデータがカラオケ装置Ksに対し発信され、カラオケ装置Ksの発信部７から該当する検索音の歌手名や曲名などの楽曲データが発信され、本考案装置１の受信部３がその発信されたデータを受信しコントロール部５を経て表示画面２にそのデータ30cを一覧形式で表示する。なお、30d，30eは進み，戻り，選択などの操作キーである。
【００１９】
本考案装置１では、上記のようにその表示画面２に表示させる楽曲に関するデータを、本考案装置１からカラオケ装置Ksに対し呼び出しに行き、カラオケ装置Ksに備えられているデータを本考案装置１に取込んで表示画面２にその取込んだデータ30cを一覧表示させるので、いつでもカラオケ装置Ksが備えている最新データを本考案装置１の表示画面２に表示させることができる。表示された楽曲データ30cから曲名などのデータを選択し、操作キーをタッチすると、カラオケ装置Ksにその楽曲データの演奏が指令されることになる。
【００２０】
従って、本考案装置１では、カラオケ装置Ksのデータがどのようなタイミングで更新されていても、本考案装置１の内部に楽曲データを蓄えることはないので、その更新に対応して本考案装置１の内部データを更新しなければならないという煩しさは皆無である。
【産業上の利用可能性】
【００２１】
本考案検索表示装置は以上の通りであって、カラオケ装置を使用する上で不可欠であった歌本を不要とするため、タッチパネル式の入力手段を有する平板状の表示画面と、カラオケ装置が備えている楽曲データを受信する受信部と、該受信部に入力するデータを取汲んで前記表示画面に表示させる画面駆動部と、前記受信部を制御すると共に前記表示画面上で選択する楽曲データを前記カラオケ装置に指令信号として発信する発信部を備えて、カラオケ装置が備えている内部の楽曲データを表示させて選択できるように検索表示装置を形成したから、カラオケ装置が内部に備えている楽曲データを受信して表示画面に表示し、従って、その表示の中から選択した楽曲データについて本考案装置から当該カラオケ装置に指令信号を出力してこのカラオケ装置を駆動操作させるので、歌本がなくても、また、本考案装置の内部に蓄積データがなくても、カラオケ装置に楽曲に関する指示を出すことができ、従って、きわめて便利であると共に実用性も高い。
【図面の簡単な説明】
【００２２】
【図１】本考案装置の一例を説明するためのブロック図。
【図２】図１の検索表示装置の表示画面におけるトップ画面の表示例を模式的に示した平面図。
【図３】図２の表示画面におけるインデックス検索画面の一例を模式的に示した平面図。
【符号の説明】
【００２３】
１    本考案検索表示装置
２    表示画面
３    受信部
４    発信部
５    コントロール部
６    ペアリング呼出部
７    カラオケ装置Ksの発信部
８    カラオケ装置Ksの受信部
９    受光部
20    トップ画面
30    インデックス検索画面
Ks    カラオケ装置
【図１】
0003104956.tif 000003
【図２】
0003104956.tif 000004
【図３】
0003104956.tif 000005